(57)【要約】【課題】あおり運転被害に遭った場合に適切な対処を取ることができるあおり運転者に対する情報伝達具を提供する。【解決手段】表面１１および裏面を有する少なくとも一のシート１０を備え、あおり運転者およびあおり運転被害者に対して情報を伝える情報伝達具１である。表面１１は、あおり運転被害者からあおり運転者へ伝えるメッセージである対あおり運転者情報１５を有する。裏面は、あおり運転被害者へ向けた情報である対被害者情報を有する。【選択図】図１
0003224561.tif 000002
【実用新案登録請求の範囲】
【請求項１】
表面および裏面を有する少なくとも一のシートを備え、あおり運転者およびあおり運転被害者に対して情報を伝える情報伝達具であって、
前記表面は、前記あおり運転被害者から前記あおり運転者へ伝えるメッセージである対あおり運転者情報を有し、
前記裏面は、前記あおり運転被害者へ向けた情報である対被害者情報を有する、あおり運転者に対する情報伝達具。
【請求項２】
前記対あおり運転者情報は、前記あおり運転被害者の車両の車内から車外の前記あおり運転者に対して伝えられる情報であり、
前記対被害者情報は、前記対あおり運転者情報を前記あおり運転者に伝えている際に前記あおり運転被害者に向けた情報である、請求項１記載のあおり運転者に対する情報伝達具。
【請求項３】
前記対被害者情報は、前記対あおり運転者情報と対になる、前記あおり運転被害者があおり運転被害に対して取るべき行動に関する情報を含む、請求項１記載のあおり運転者に対する情報伝達具。
【請求項４】
前記シートは、複数枚のシートが積層され、最上位または最下位のシートを前記最下位または前記最上位のシートまで捲ることが可能なように綴られた冊子体であり、
前記表面は、前記最上位のシートの表面であり、
前記裏面は、前記最下位のシートの裏面である、請求項１から３のいずれか一項に記載のあおり運転者に対する情報伝達具。
【請求項５】
前記複数枚のシートは、リング部材で綴られる、請求項４記載のあおり運転者に対する情報伝達具。
【考案の詳細な説明】
【技術分野】
【０００１】
本考案は、あおり運転者に対する情報伝達具に関する。
【背景技術】
【０００２】
今日、あおり運転といわれる、周囲の運転者が何らかの原因や目的で運転中にあおることによって、道路における交通の危険を生じさせる行為が多発している。従来、あおり運転を防止するため、車外に情報を表示する表示装置が知られている。
【先行技術文献】
【特許文献】
【０００３】
【特許文献１】実用新案登録第３２２３２９５号公報
【考案の概要】
【考案が解決しようとする課題】
【０００４】
あおり運転の被害の１つとして、車を停止させられ、あおり運転者に車外に出るよう促される事態がある。このような場合に、あおり運転被害者を守るための手段が求められている。
【０００５】
本考案はこのような事情を考慮してなされたもので、あおり運転被害に遭った場合に適切な対処を取ることができる、あおり運転者に対する情報伝達具を提供することを目的とする。
【課題を解決するための手段】
【０００６】
本考案に係るあおり運転者に対する情報伝達具は、上述した課題を解決するために、表面および裏面を有する少なくとも一のシートを備え、あおり運転者およびあおり運転被害者に対して情報を伝える情報伝達具であって、前記表面は、前記あおり運転被害者から前記あおり運転者へ伝えるメッセージである対あおり運転者情報を有し、前記裏面は、前記あおり運転被害者へ向けた情報である対被害者情報を有する。
【考案の効果】
【０００７】
本考案に係るあおり運転者に対する情報伝達具においては、あおり運転被害に遭った場合に適切な対処を取ることができる。
【図面の簡単な説明】
【０００８】
【図１】本考案に係るあおり運転者に対する情報伝達具の実施形態を表面から示す説明図。
【図２】図１の情報伝達具を裏面から示す説明図。
【図３】複数枚のシートの記載例を示す図。
【考案を実施するための形態】
【０００９】
本考案に係るあおり運転者に対する情報伝達具の実施形態を添付図面に基づいて説明する。
【００１０】
図１は、本考案に係るあおり運転者に対する情報伝達具の実施形態を表面１１から示す説明図である。
【００１１】
図２は、図１の情報伝達具１を裏面１２から示す説明図である。
【００１２】
情報伝達具１は、あおり運転者およびあおり運転被害者に対して情報を伝える情報伝達具である。「あおり運転者」は、あおり運転を行う者である。「あおり運転被害者」は、あおり運転者からあおり運転被害を受けた者である。また、「あおり運転被害者」は、情報伝達具１の所有者である。情報伝達具１は、あおり運転被害者が、あおり運転者により車を停止させられた後、あおり運転者があおり運転被害者の車に歩み寄った際や、車外から窓やドアを開けることを強要された際などに使用される。
【００１３】
情報伝達具１は、複数枚のシート１０が積層された冊子体である。情報伝達具１は、最上位のシート１０（最下位のシート１０）を最下位のシート１０（最上位のシート１０）まで容易に捲ることが可能なように、リング部材２０で綴られている。各シート１０は、表面１１と、裏面１２と、を有する。
【００１４】
表面１１は、対あおり運転者情報１５を有する。対あおり運転者情報１５は、あおり運転被害者が、あおり運転被害者の車内から車外にいるあおり運転者へ伝えるメッセージに関する情報である。対あおり運転者情報１５は、例えば、図１に示すように、「ドア・窓は開けられません！！」のようなメッセージである。
【００１５】
裏面１２は、対被害者情報１６を有する。対被害者情報１６は、対あおり運転者情報１５をあおり運転者に伝えている際に、あおり運転被害者へ向けた情報である。対被害者情報１６は、例えば、図２に示すように、「窓は締め、ドアは完全ロック！！」などであり、図１の対あおり運転者情報１５をあおり運転者に伝えている際に、あおり運転被害者が、注意すべき事項などが含まれる。すなわち、対被害者情報１６は、対あおり運転者情報１５と対になる、あおり運転被害者があおり運転被害（あおり運転者）に対して取るべき行動に関する情報を含む。
【００１６】
シート１０は、複数枚綴られている。例えば、最上位のシート１０が最下位のシート１０の後に捲られることにより、最上位のシート１０の次に綴られたシート１０が最上位にくる。このため、情報伝達具１の使用時においては、対あおり運転者情報１５が記載された表面１１は、最上位のシート１０の表面１１を意味する。また、対被害者情報１６が記載された裏面１２は、最下位のシート１０の裏面１２を意味する。
【００１７】
複数のシート１０は、あおり運転者に想定される行動に沿って、ページ順が決定されている。あおり運転被害者は、被害に遭った際には、情報伝達具１のシート１０を順次捲ることにより、直接あおり運転者と対話することなく、必要なメッセージをあおり運転者に的確に伝えることができる。
【００１８】
次に、情報伝達具１の使用方法を詳細に説明する。ここで、図３は、複数枚のシート１０の記載例を示す図である。図３の「１」〜「７」は、対あおり運転者情報１５および対被害者情報１６の伝達順を示す。
【００１９】
あおり運転者があおり運転被害者の車両に近付いてきた場合、あおり運転被害者は、１番目（最上位）に綴られたシート１０の表面１１をあおり運転者に視認させるよう、情報伝達具１を保持する。例えば、運転席の窓越しに、表面１１を提示する。１番目に綴られたシート１０の表面１１には、対あおり運転者情報１５として、「私が何かあなたにご迷惑をお掛けしましたか？」と記載されており、これがあおり運転者に伝達される。また、情報伝達具１を保持しているあおり運転被害者側に向いている面である、７番目（最下位）に綴られたシート１０の裏面１２には、対被害者情報１６として、あおり運転の説明や、あおり運転者に対する処罰の内容など、あおり運転の基礎知識が記載されている。
【００２０】
次に、１番目に綴られたシート１０が捲られ最下位に移動すると、２番目に綴られたシート１０の表面１１が露出する。表面１１には、対あおり運転者情報１５として、「今警察に通報しました」と記載されており、これがあおり運転者に伝達される。また、情報伝達具１を保持しているあおり運転被害者側に向いている面である、１番目に綴られたシート１０の裏面１２には、対被害者情報１６として、警察に通報することを促す内容や、通報時に警察へ伝えるべき内容などが記載されている。
【００２１】
次に、２番目に綴られたシート１０が捲られ最下位に移動すると、３番目に綴られたシート１０の表面１１が露出する。表面１１には、対あおり運転者情報１５として、「ドア・窓は開けられません」と記載されており、これがあおり運転者に伝達される。また、情報伝達具１を保持しているあおり運転被害者側に向いている面である、２番目に綴られたシート１０の裏面１２には、対被害者情報１６として、「窓は締め、ドアは完全ロック！！」とのメッセージや、ロックの重要性に関する情報が記載されている。
【００２２】
次に、３番目に綴られたシート１０が捲られ最下位に移動すると、４番目に綴られたシート１０の表面１１が露出する。表面１１には、対あおり運転者情報１５として、「警察がこちらに向かっています。それからお話ししましょう！！」と記載されており、これがあおり運転者に伝達される。また、情報伝達具１を保持しているあおり運転被害者側に向いている面である、３番目に綴られたシート１０の裏面１２には、対被害者情報１６として、「相手を挑発するような言動は控える」とのメッセージなどが記載されている。
【００２３】
次に、４番目に綴られたシート１０が捲られ最下位に移動すると、５番目に綴られたシート１０の表面１１が露出する。表面１１には、対あおり運転者情報１５として、「ドライブレコーダー・スマートフォンで録画しています」と記載されており、これがあおり運転者に伝達される。また、情報伝達具１を保持しているあおり運転被害者側に向いている面である、４番目に綴られたシート１０の裏面１２には、対被害者情報１６として、録画・録音の方法、記録の重要性に関する説明が記載されている。
【００２４】
次に、５番目に綴られたシート１０が捲られ最下位に移動すると、６番目に綴られたシート１０の表面１１が露出する。表面１１には、対あおり運転者情報１５として、「あなたの行為は「あおり運転」では？！道路交通法の違反になります！！」と記載されており、これがあおり運転者に伝達される。また、情報伝達具１を保持しているあおり運転被害者側に向いている面である、５番目に綴られたシート１０の裏面１２には、対被害者情報１６として、道路交通法違反行為に関する説明が記載されている。
【００２５】
次に、６番目に綴られたシート１０が捲られ最下位に移動すると、７番目に綴られたシート１０の表面１１が露出する。表面１１には、対あおり運転者情報１５として、「やめてください  車を蹴ったり、窓を叩いたり！！」と記載されており、これがあおり運転者に伝達される。また、情報伝達具１を保持しているあおり運転被害者側に向いている面である、６番目に綴られたシート１０の裏面１２には、対被害者情報１６として、犯罪行為に関する説明が記載されている。
【００２６】
このような情報伝達具１は、あおり運転被害に遭った場合に、運転者が適切な対処を取ることができる。すなわち、あおり運転被害者は、あおり運転被害に遭った場合には、冷静に適切な対処を取ることが困難な虞があるが、情報伝達具１を用いることにより、あおり運転者に対して的確にメッセージを伝えることができる。また、情報伝達具１は、これと同時に、あおり運転被害者にもあおり運転者に伝えているメッセージと対になる必要な情報を提供することで、あおり運転被害者が不用意に不安になったり、慌てたりすることを抑制できる。
【００２７】
本考案のいくつかの実施形態を説明したが、これらの実施形態は、例として提示したものであり、考案の範囲を限定することは意図していない。これら新規な実施形態は、その他の様々な形態で実施されることが可能であり、考案の要旨を逸脱しない範囲で、種々の省略、置き換え、変更を行うことができる。これら実施形態やその変形は、考案の範囲や要旨に含まれるとともに、実用新案登録請求の範囲に記載された考案とその均等の範囲に含まれる。
【００２８】
情報伝達具は、リング部材２０で綴られた冊子体に限らず、種々の部材で一体化された冊子体であってもよい。また、情報伝達具は、種々の部材で綴られることは必須ではなく、紙芝居のようにシートが独立していてもよい。また、シートが表裏面に表示可能なディスプレイ（電子機器）で実現できる場合には、所定のタイミングで表裏面の表示を切り替えるようにすることで、情報伝達具を実現してもよい。
【００２９】
上述した対あおり運転者情報および対被害者情報は一例であり、これに限らない。
【符号の説明】
【００３０】
１  情報伝達具
１０  シート
１１  表面
１２  裏面
１５  運転者情報
１６  対被害者情報
２０  リング部材
【図１】
0003224561.tif 000003
【図２】
0003224561.tif 000004
【図３】
0003224561.tif 000005